(57)【要約】      （修正有）【課題】簡易な構成でエンタテインメント性を向上させることができるルーレット装置を提供する。【解決手段】円盤状に形成された台であって、かつドーナツ状に形成された少なくとも１つの表示領域を有し、表示領域には、同一の大きさを有する複数のポケット表示領域が円周方向に沿ってそれぞれ設けられたルーレット台２０と、円柱状に形成され、ルーレット台２０の中心部分に固着された支柱３０と、支柱３０の径より小さい径を有し、支柱３０から上方に向けて突出するようにして、支柱３０の上面の中心部分に固着された固定軸４０と、棒状に形成された棒であって、かつ長手方向における中央部分に、長手方向と直交する方向に、固定軸４０の径より大きい径を有する貫通孔６０が形成され、貫通孔６０に固定軸４０を挿入するようにして、支柱３０の上面に載置された回転棒５０とを備える。【選択図】図１
0003202237.tif 000002
【実用新案登録請求の範囲】
【請求項１】
円盤状に形成された台であって、かつドーナツ状に形成された少なくとも１つの表示領域を有し、前記表示領域には、同一の大きさを有する複数のポケット表示領域が円周方向に沿ってそれぞれ設けられたルーレット台と、
円柱状に形成され、前記ルーレット台の中心部分に固着された支柱と、
前記支柱の径より小さい径を有し、前記支柱から上方に向けて突出するようにして、前記支柱の上面の中心部分に固着された固定軸と、
棒状に形成された棒であって、かつ長手方向における中央部分に、前記長手方向と直交する方向に、前記固定軸の径より大きい径を有する貫通孔が形成され、前記貫通孔に前記固定軸を挿入するようにして、前記支柱の上面に載置された回転棒と
を備えることを特徴とするルーレット装置。
【考案の詳細な説明】
【技術分野】
【０００１】
本考案は、ルーレット装置に関する。
【背景技術】
【０００２】
従来、回転する円盤に球を投げ入れ、落ちる場所を当てるゲーム装置として、種々のルーレット装置が開発及び提案されている。
【考案の概要】
【考案が解決しようとする課題】
【０００３】
本考案は、簡易な構成でエンタテインメント性を向上させることができるルーレット装置を提供することを目的とする。
【課題を解決するための手段】
【０００４】
本考案の一態様によるルーレット装置は、
円盤状に形成された台であって、かつドーナツ状に形成された少なくとも１つの表示領域を有し、前記表示領域には、同一の大きさを有する複数のポケット表示領域が円周方向に沿ってそれぞれ設けられたルーレット台と、
円柱状に形成され、前記ルーレット台の中心部分に固着された支柱と、
前記支柱の径より小さい径を有し、前記支柱から上方に向けて突出するようにして、前記支柱の上面の中心部分に固着された固定軸と、
棒状に形成された棒であって、かつ長手方向における中央部分に、前記長手方向と直交する方向に、前記固定軸の径より大きい径を有する貫通孔が形成され、前記貫通孔に前記固定軸を挿入するようにして、前記支柱の上面に載置された回転棒と
を備える。
【考案の効果】
【０００５】
本考案のルーレット装置によれば、簡易な構成でエンタテインメント性を向上させることができる。
【図面の簡単な説明】
【０００６】
【図１】本考案の実施の形態によるルーレット装置の構成を示す斜視図、平面図及び縦断面図である。
【図２】本考案の実施の形態によるルーレット装置のルーレット台の構成を示す平面図である。
【考案を実施するための形態】
【０００７】
以下、本考案の実施の形態について図面を参照して説明する。
【０００８】
図１及び図２に、本考案の実施の形態によるルーレット装置１０の構成を示す。このうち、図１（ａ）は、ルーレット装置１０の斜視図を示し、図１（ｂ）は、ルーレット装置１０を上方から視認した場合の平面図を示し、図１（ｃ）は、図１（ａ）中のＡ−Ａ’線に沿って切断した場合の縦断面図を示す。図２は、ルーレット装置１０のルーレット台２０のみを上方から視認した場合の平面図を示す。
【０００９】
ルーレット装置１０は、円盤状に形成されたルーレット台２０を有する。本実施の形態の場合、ルーレット台２０は、例えば床面などに載置され、回転することなく床面に固定した状態で使用される。
【００１０】
このルーレット台２０の中心部分には、円柱状に形成された支柱３０が固着されている。さらに、この支柱３０の上面３０Ａの中心部分には、支柱３０の径より小さい径を有する固定軸４０が、支柱３０から上方に向けて突出するように固着されている。
【００１１】
また、ルーレット装置１０は、棒状に形成された回転棒５０を有する。この回転棒５０の長手方向における中央部分には、当該回転棒５０の長手方向と直交する方向に、固定軸４０の径より大きい径を有する貫通孔６０が形成されている。
【００１２】
本実施の形態の場合、回転棒５０の貫通孔６０に固定軸４０を挿入するようにして、支柱３０の上面３０Ａに回転棒５０が載置されている。これにより、回転棒５０は、回転自在に固定軸４０に取り付けられ、固定軸４０を中心として、図中ａ方向に回転することができるようになされている。
【００１３】
ところで、ルーレット台２０上には、同一の大きさを有する複数の得点表示領域ＡＲ１０が、支柱３０の周囲に円周方向に沿ってそれぞれ設けられ、得点表示領域ＡＲ１０の外側には、同一の大きさを有する複数の色表示領域ＡＲ２０が円周方向に沿ってそれぞれ設けられ、色表示領域ＡＲ２０の外側には、同一の大きさを有する複数の動作表示領域ＡＲ３０が円周方向に沿ってそれぞれ設けられている。
【００１４】
得点表示領域ＡＲ１０には、例えば「１０」、「１００」などの点数がランダムに表示され、色表示領域ＡＲ２０には、例えば「赤」又は「白」が交互に施され、動作表示領域ＡＲ３０には、例えば体操の内容や歌など、遊技者が行う動作の内容がランダムに表示されている。
【００１５】
このように、本実施の形態の場合には、複数の得点表示領域ＡＲ１０からなる第１の表示領域と、複数の色表示領域ＡＲ２０からなる第２の表示領域と、複数の動作表示領域ＡＲ３０からなる第３の表示領域とを有し、これら第１〜第３の表示領域は、いずれもドーナツ状に形成されている。
【００１６】
なお、得点表示領域ＡＲ１０、色表示領域ＡＲ２０及び動作表示領域ＡＲ３０は、一般的なルーレットのホイール（回転盤）に設けられた、ボールが落ちるポケットを模したポケット表示領域に対応する。
【００１７】
続いて、ルーレット装置１０の使用方法について説明する。まず、遊技者は、色表示領域ＡＲ２０に表示されている例えば「赤」又は「白」のいずれかを予想した上で、図示しない叩き棒を用いて回転棒５０を叩き、回転棒５０を回転させる。
【００１８】
回転棒５０が一定数回転した後、停止すると、遊技者は、停止した回転棒５０が位置する得点表示領域ＡＲ１０に表示されている点数を獲得する。また、予想した色が表示されている色表示領域ＡＲ２０上で、回転棒５０が停止した場合には、獲得する点数を２倍に設定する。さらに、遊技者は、停止した回転棒５０が位置する動作表示領域ＡＲ３０に表示されている動作（例えば体操など）を行う。
【００１９】
このように本実施の形態によれば、簡易な構成でエンタテインメント性を向上させることができるルーレット装置１０を実現できる。
【００２０】
なお、上述の実施の形態においては、第１〜第３の表示領域を設けた場合について述べたが、本考案はこれに限らず、要は、ドーナツ状に形成された少なくとも１つの表示領域を設けるようにすれば良い。
【符号の説明】
【００２１】
１０  ルーレット装置
２０  ルーレット台
３０  支柱
４０  固定軸
５０  回転棒
６０  貫通孔
ＡＲ１０  得点表示領域
ＡＲ２０  色表示領域
ＡＲ３０  動作表示領域
【図１】
0003202237.tif 000003
【図２】
0003202237.tif 000004